(57)【特許請求の範囲】
【請求項１】
表示窓が形成された表面部材と、その内面に磁気吸着力で取り付けられる裏面部材とからなり、上記表面部材と上記裏面部材とは重なり合う面の全体が磁気吸着する表示窓付きマグネットホルダであって、上記裏面部材の寸法は上記表面部材の寸法以内で表示物を保持しうる磁気吸着面積を形成する数値に定められ、さらに、上記裏面部材と上記表面部材とは、その一端側が回動可能にヒンジ結合されて一体的に形成されていると共に、上記表面部材の表示窓と対向する上記裏面部材の内面には、該表示窓と合致する位置を示す合わせ表示がなされており、この合わせ表示を覆うように上記表示物を載置した状態で、上記表面部材と裏面部材の内面とを磁気吸着させることにより、その表示物は上記表面部材の表示窓から正規位置で表示されると共に、上記表面部材の表示窓以外の部分で確実に固定されることを特徴とする表示窓付きマグネットホルダ
【請求項２】
上記裏面部材に設けられる合わせ表示は、少なくとも上記表面部材の表示窓と略同一形状の凹溝又は浅い切り込み或いは印刷等の表示線にて表わされていることを特徴とする請求項１に記載の表示窓付きマグネットホルダ
【請求項３】
上記裏面部材に設けられる合わせ表示は、少なくとも上記表面部材の表示窓と略同一形状の切り欠きにより形成されていることを特徴とする請求項１または２に記載の表示窓付きマグネットホルダ
【請求項４】
上記表面部材と上記裏面部材とは、各々の内面側に、磁気吸着する対向磁極が縞状に多極着磁されていることを特徴とする請求項１〜３のいずれか１項に記載の表示窓付きマグネットホルダ
【請求項５】
上記表面部材と上記裏面部材とは、少なくとも該裏面部材の外面側にも強磁性物品への磁気吸着が可能な着磁がなされていることを特徴とする請求項１〜４のいずれか１項に記載の表示窓付きマグネットホルダ
【請求項６】
上記表面部材の表示窓には、透明若しくは半透明のカバーが覆うように取り付けられていることを特徴とする請求項１〜５のいずれか１項に記載の表示窓付きマグネットホルダ
【請求項７】
上記表面部材または上記裏面部材には、被装着物品への取り付け用の孔が形成されていることを特徴とする請求項１〜６のいずれか１項に記載の表示窓付きマグネットホルダ
【発明の詳細な説明】
【技術分野】
【０００１】
本発明は、写真、イラスト等を表示して冷蔵庫等の被装着物品に取り付ける表示窓付きマグネットホルダに関するものである。
【背景技術】
【０００２】
従来から、開口窓を有したマグネットシート製の表板とマグネットシート製或は磁気吸着可能な材質部分を有する裏板とを磁気吸着で取り付け、表板及び裏板間に介在させた写真やイラスト等を、表板の開口窓から表示するフォトフレームが知られている。（特許文献１参照）
【０００３】
一方、特許文献２には、二つ折りの矩形の板紙で形成され、手前側の板紙には開口が設けられ、反対側の板紙の外面に永久磁石を設けたホルダ本体と、ホルダ本体の両側に夫々取り付けられる挟持体からなるメモホルダが開示されており、ホルダ本体内に挟み込まれたメモや写真等が手前側の板紙に設けられた開口から視認できるようになっている。
なお、特許文献１のフォトフレームや特許文献２のメモホルダは、何れも強磁性体製の金属壁に磁気吸着にて取り付けることができる構成となっている。
【０００４】
【特許文献１】特開２００２−１１９４００号公報（３頁４欄１４行〜３９行、図４〜図５）
【特許文献２】登録実用新案第３０５３６１６号公報（５頁２１行〜７頁８行、図１〜図４）
【発明の開示】
【発明が解決しようとする課題】
【０００５】
しかしながら、特許文献１に示されるフォトフレームにおいては、表板及び裏板が分離しているために、磁気吸着させる時に両方の板の外形をきっちり合わせにくくなっており、この構成で写真等をフォトフレームからはみ出さないような正規位置に表示させることは、更に困難を伴うものであった。
【０００６】
また、特許文献２に示されるメモホルダにおいては、メモや写真（以下、表示物という）を所定位置に収めて表示することができる利点はあるものの、表示物を表示させるまでの作業数が多いために作業性の面で好ましいとはいえず、メモホルダを構成する部材が多い点も、製品化における管理を含めた総合的な生産コスト上で好ましいとは云えない不都合があった。
【０００７】
なお、特許文献１のフォトフレーム及び特許文献２のメモホルダにおいては、明確な開示はされていないが、いずれも開口窓が大きくて周囲の枠の部分が狭くなっている。即ち、開口窓中に表示物の端部が露出しても良いと云う商品としての非常識を肯定しない限り、フォトフレームにおいてはその外形が表示物（例えば写真であれば○○判）がはみださない程度に若干大きく形成されており、メモホルダにおいても同様に、ホルダ本体が表示物より若干大きく形成されていると推測される。
【０００８】
その根拠は、若しそうでなければ、余ほど大きな表示物は論外として、使用者に対して、表示物は必ず大き目のものを使用し、その都度、上記フォトフレームやメモホルダのホルダ本体に合わせて裁断させることを強要しているのであり、そのような仕様の製品は考え難いことに由来している。この根拠が不当であれば、使用者に裁断を強要することも、当然に不都合点として挙げられることになる。
【０００９】
従って、特許文献１のフォトフレーム及び特許文献２のメモホルダは、表示物の外形がフォトフレーム及びメモホルダのホルダ本体の外形と略一致している場合には所定位置に表示することができるが、小さ目の表示物、特に開口窓ぎりぎりの表示物に対しては、目安となるものが無いので位置合わせがし難い不都合を有しており、特許文献２のメモホルダにおいては、さらに、掲示物を位置合わせした状態のホルダ本体をしっかり保持して挟持体を取り付けなければならない不都合が生じていた。
【００１０】
本発明は、これらの先行技術における長所は生かしながら不都合な点を解消させ、表示物の取り付け作業が簡単で、小型の表示物であっても所定位置に確実に配置させることができる表示窓付きマグネットホルダを提供することを課題とする。
【課題を解決するための手段】
【００１１】
本発明の表示窓付きマグネットホルダは、表示窓が形成された表面部材と、その内面に磁気吸着力で取り付けられる裏面部材とからなり、その表面部材と裏面部材とは重なり合う面の全体が磁気吸着するようになっていて、裏面部材の寸法は表面部材の寸法以内で表示物を保持しうる磁気吸着面積を形成する数値に定められ、さらに、裏面部材と表面部材とは、その一端側が回動可能にヒンジ結合されて一体的に形成されていると共に、表面部材の表示窓と対向する裏面部材の内面には、表示窓と合致する位置を示す合わせ表示がなされており、この合わせ表示を覆うように表示物を載置した状態で、表面部材と裏面部材の内面とを磁気吸着させることにより、その表示物は表面部材の表示窓から正規位置で表示されると共に、表面部材の表示窓以外の部分で確実に固定する構成で実施することができる。
この構成によれば、表面部材と裏面部材とを、位置ずれすることなく、かつ、確実に磁気吸着にて接合させることができる。
また、表面部材の表示窓と対向する裏面部材の内面には、表示窓と合致する位置を示す合わせ表示がなされているので、表示物は、その合わせ表示を利用して載置するだけで表面部材の表示窓から正しく表示させることができる。
【００１２】
なお、裏面部材に設けられる合わせ表示は、具体的には、少なくとも表面部材の表示窓と略同一形状の凹溝又は浅い切り込み或いは印刷等の表示線にて表わすとよい。  この構成によれば、表示物は、表面部材の表示窓と略同一形状の凹溝又は浅い切り込み或いは印刷等の表示線が隠れるように差位置するだけで、表面部材の表示間窓から正しく表示させることができる。
【００１３】
また、この裏面部材に設けられる合わせ表示は、少なくとも表面部材の表示窓と略同一形状の切り欠きによって行うこともできる。この構成によれば、必然的に裏面部材にも表示窓が形成されるので、表示窓を形成する枠部分を異なったイメージの表示に仕上げれば、好みに合わせた選択ができて使用性が向上する。また、二つの掲示物を取り付けることもできる利点も生じる。
【００１４】
なお、表面部材と裏面部材とは、各々の内面側に、磁気吸着する対向磁極が縞状に多極着磁されていると、磁気吸着力を向上させることができる。
【００１５】
また、表面部材と裏面部材とは、少なくとも裏面部材の外面側にも強磁性物品への磁気吸着が可能な着磁がなされていると、冷蔵庫等の適宜の強磁性体物品に表示窓付きマグネットホルダを磁気吸着力で取り付けることができるので、便利である。
【００１６】
また、上記表面部材の表示窓には、透明若しくは半透明のカバーが覆うように取り付けられていると、表示物の表面の汚れや変質を防ぐことができるので好ましい。
【００１７】
さらに、表面部材または裏面部材には、被装着物品への取り付け用の孔が形成されていると、強磁性体物品以外の物品に対しても、押しピン等で表示窓付きマグネットホルダを取り付けることができるので使用性が向上する。
【発明の効果】
【００１８】
本発明の表示窓付きマグネットホルダは、表面部材と裏面部材とがヒンジ結合にて一体化されているので、表面部材と裏面部材との位置ずれが起こらず、表示物の取り付け作業が簡単で、小型の表示物であっても所定位置に確実に配置させることができる。
【発明を実施するための最良の形態】
【００１９】
本発明の表示窓付きマグネットホルダは、表示窓が形成された表面部材と、その内面の面積内に表示物を保持しうる磁気吸着面積を有する裏面部材とを、その一端側が回動可能にヒンジ結合されて一体的に形成すると共に、表面部材の表示窓と対向する裏面部材の内面には、その表示窓と合致する位置を示す合わせ表示を施す構成を基本とするものであり、以下、実施例に沿って詳細に説明する。
【実施例１】
【００２０】
図１〜図５は、本発明における合わせ表示以外の構成並びに使用方法を説明する実施例１を表わしたものであり、図１（ａ）〜（ｃ）は表示窓付きマグネットホルダの説明図、図２（ａ）〜（ｅ）使用する表示物並びに収納位置の説明図、図３（ａ）〜（ｃ）は理想的な表示物の取り付け工程を示す説明図、図４（ａ）（ｂ）は切り出した表示物の取り付け工程を示す説明図、図５（ａ）（ｂ）は表示窓付きマグネットホルダの強磁性体物品への取り付け状態を示す説明図である。
【００２１】
実施例１の表示窓付きマグネットホルダ１は、小型の表示物を対象としたものであり、図１（ａ）の展開状態の斜視図、図１（ｂ）のＡ矢視拡大図、図１（ｃ）の使用状態説明用の斜視図に示すように、マグネットシート２の上面２’側に装飾層３が設けられた構成となっており、外形は図１（ａ）に示すように、幅が約５５ｍｍ、長さが約１３５ｍｍで角部が円弧状に面取りされた長方形に形成されている。
なお、この外形寸法は表示物を小さくて可愛い表示をさせるために設定した数値であって、通常の規定サイズの写真が過不足無く収まる大きさにする等、適宜に設定して良い。
【００２２】
また、マグネットシート２の下面２’’の中央には凹状の折り込み線４が設けられており、この折り込み線４の位置がヒンジ部７となって、表面部５と裏面部６とが折り曲げやすくなっている。さらに、表面部５の略中央部には、楕円形状に切り抜かれた状態で表示窓８が形成されている。
【００２３】
マグネットシート２は、フェライト系、マンガン・アルミニウム系、サマリウム・コバルト系、ネオジウム・鉄・ホウ素系、サマリウム・鉄・窒素系等の硬質磁性材料からなる磁石材料微粉末を有機高分子エラストマーに練り込み着磁された樹脂製磁石等適宜の樹脂製磁石が用いられる。
【００２４】
なお、本実施例においては、図１（ａ）に示すように、表面部５と裏面部６とに対向面が異なる磁極となるようにＮ極とＳ極が縞状に多極着磁されており、表面部５と裏面部６との内面を重ね合わせると、異極同士で強く磁気吸着されることになる。
【００２５】
また、着磁は表面部５と裏面部６との内面だけの片面着磁ではなく、外面にも着磁される両面着磁となっており、表示窓付きマグネットホルダ１が強磁性体物品に磁気吸着するようになっている。
【００２６】
但し、本発明における着磁は、実施例１における仕様に限定されるものではなく、後述する他の実施例ように、少なくとも表面部５と裏面部６との内面が磁気吸着するものであれば実施することが可能である。
【００２７】
装飾層３は、紙或は薄いプラスチックシートが用いられ、文字やイラスト等の装飾がなされている。なお、マグネットシート２に設けた折り込み線４と、その上面に設けられている装飾層３とで本実施例のヒンジ部７が形成されることになる。
【００２８】
そして、図１（ａ）の状態から、矢印で示すように表面部５と裏面部６とをヒンジ部７で折り曲げると図１（ｃ）のように表面部５と裏面部６とは磁気吸着して、表示窓付きマグネットホルダ１が完成する。
なお、本実施例におけるヒンジ性能は、図１（ｃ）の状態から表面部５と裏面部６とを開いた時に、自動的に図１（ａ）の状態に復元しなくても、繰り返しの使用に耐えるものであれば良い。
【００２９】
次に、実施例１に用いられる表示物について説明する。
図２は、女性を写した写真を表示物としたものであり、図２（ａ）は理想的な表示物の正面図、図２（ｂ）は理想的な表示物の収納状態を示す説明図、図２（ｃ）は一般的な表示物の収納状態を示す説明図、図２（ｄ）は一般的な表示物をラフに切り出した正面図、図２（ｅ）は一般的な表示物の要部を切り出した正面図、図２（ｆ）は横長表示物の切り出し状態の正面図を兼ねた収納状態を示す説明図を表わしている。
なお、現物の写真は不鮮明となる要素があるので、本出願においては、写真の代用としてイラストを用いて説明することとする。
【００３０】
図２（ａ）に示すように、表示物Ｐａに表わされる被写体の女性Ｇが理想的な位置に配置されていると、図２（ｂ）の外周の想像線で表わす写真の規定サイズ用に作製された表示窓付きマグネットホルダ１ａの正規位置に表示物Ｐａを配置することができ、内側の想像線で示す表示窓８ａに、女性Ｇは理想的な位置に表示されることになる。
【００３１】
しかしながら、このような表示物は稀であって、大半の一般的なものは、表示したい対象がずれた位置に配置されており、一例として示す図２（ｃ）における表示物Ｐｃにおいては、女性Ｇは右下方向にずれて位置しており、表示窓８ａにも同様にずれた位置に女性Ｇが表示される。
表示したい対象を表示窓から希望位置に表示させるには、図２（ｄ）のように不要部分をハッチングで示すラフに切り出した表示物Ｐｄとするか、図２（ｅ）のハッチングで示す部分を切り取って、要部のみ残るようにように切り出した表示物Ｐｅに仕上げて使用する。なお、図２（ｆ）に示す縦が短く横長の表示物の場合は、ハッチングで示す両サイド側のみ切り出した表示物Ｐｆに仕上げれば良い。
【００３２】
そして、これらの表示物を表示窓付きマグネットホルダ１ａに取り付けるには、表示物が図２（ａ）（ｂ）に示す理想的な状態に表示されている場合は、図３（ａ）の表示物取り付け前の斜視図のように、表示物Ｐａを裏面部６ａにおける内側の面の中央部に載置した状態で、表面部５ａを折り込み線４ａが形成されたヒンジ部７ａから矢印で示す方向に折り曲げて裏面部６ａに磁気吸着させれば、図３（ｂ）の表示物取り付け後の斜視図のように表示物は正規位置に取り付けられる。従って、図３（ｃ）に示すように表示窓８ａから女性Ｇが理想的な位置で表示される。
【００３３】
また、表示物が図２（ｄ）で示すＰｄ及び図２（ｆ）で示すＰｆの場合は、図４（ａ）の表示物取り付け前の斜視図に示すように、表面部５ａと裏面部６ａとを半開き状態にして表示物Ｐｄまたは表示物Ｐｆを矢印で示すように横方から差し込み、適正な位置に目視で調整し位置決めする。そして、表面部５ａと裏面部６ａとを磁気吸着させると、図４（ｂ）の表示物取り付け後の斜視図に示すように、表示窓８ａから女性Ｇが希望の位置で表示される。
【００３４】
表示物ＰａまたはＰｃまたはＰｄまたはＰｆを取り付けた表示窓付きマグネットホルダ１ａは、図５（ａ）の斜視図及び図５（ｂ）の部分拡大断面図に示すように、表示窓８ａから女性Ｇを表示させて冷蔵庫等の適宜の強磁性体物品に磁気吸着で取り付けることができる。
なお、図５（ｂ）の部分拡大断面図に示す各記号は上述した各部等を示し、その他、２ａはマグネットシート、３ａは装飾層を表わす。
【実施例２】
【００３５】
図６（ａ）〜（ｄ）及び図７（ａ）〜（ｃ）は、本発明における合わせ表示の構成並びに使用方法を説明する実施例２及びその変形例を示したものである。  なお、実施例１と同一構成の部分については、その説明を割愛する。
【００３６】
即ち、表示物が前述した図２（ｅ）のように表示物の要部を切り出した小さな表示物Ｐｅや、元々小さな表示物の場合は、前述した図３（ａ）〜（ｃ）及び図４（ａ）（ｂ）に示した取り付け方法では取り付けにくく、それに代わって表示窓の内面に表示物を密着させることで位置決めした場合は、最終的に表面部と裏面部を磁気吸着させる時点で表示物がずれ易い不都合を生じやすい。
【００３７】
実施例２はその不都合を解消する構成を有するものであり、具体的には図６（ａ）の表示物取り付け前の展開斜視図に示すように、表示窓付きマグネットホルダ２１の裏面部２６の内面には、表面部２５の内面を磁気吸着させた時に、表面部２５に形成された表示窓２８と合致する同一形状の合わせ表示２９が設けられている。
なお、この合わせ表示２９は、折り込み線２４と同等か浅めに形成した凹溝や、浅い切り込み、印刷等の適宜の手段で実施される。
【００３８】
従って、図６（ｂ）の表示物配置状態の斜視図に示すように、小さな表示物Ｐｅを、合わせ表示２９が露出しないように裏面部２６の内面に配置した後に、想像線で示すように表面部２５を裏面部２６に磁気吸着させれば、図６（ｃ）の表示物取り付け状態の斜視図のように表示物Ｐｅの端部が露出しない状態で、表示したいもの、この場合は女性Ｇを表示窓２８から表示させることができる。
【００３９】
なお、合わせ表示は、図６（ｄ）の部分斜視図に示す変形例１の表示窓付きマグネットホルダ２１ａのように表示窓２８ａと同形状の切り欠きでなる合わせ表示２９ａとしても良い。
この場合は、合わせ表示２９ａを必然的に表示窓として機能させることができるので、裏面部２６ａの装飾層の表示と表面部２５ａの装飾層の表示とを異なった態様にすれば、２種類の使い方ができることになる。
また、二つの表示物を表面部２５ａと裏面部２６ａとの間に取り付ければ、表示窓２８ａと合わせ表示２９ａでなる切り欠きから夫々の表示物を表示させることができる。
なお、表示物を実施例２と同一のＰｅとして２枚使用し、表示窓２８ａと切り欠きで形成される合わせ表示２９ａが同一形状とした場合は、表面視及び裏面視共に実施例２の図６（ｃ）と同様に表れることになるため、変形例との共通図面として符号を追加する。
【００４０】
但し、これらの実施例２及び変形例の合わせ表示２９，２９ａは表示物の位置合わせの目安となるものであるため、その目的を達する形状であれば近似形状でも良く、必ずしも同一形状にする必要はないことは言うまでもないことである。
【００４１】
なお、上述した合わせ表示は、厳密に思料すると合わせ表示自体が表示物によって隠れるため、さらに精度を高るには図７（ａ）の正面図に示す変形例２を実施するとよい。
即ち、この変形例２においては、上述した合わせ表示２９の上下の範囲を示す水平線状の合わせ表示２９ｂ，２９ｂと、左右の範囲を示す垂直線状の合わせ表示２９ｃ，２９ｃとが追加されている。
従って、図７（ｂ）の表示物配置状態の正面図に示すように、これらの合わせ表示２９，２９ｂ，２９ｂ，２９ｃ，２９ｃ上に表示物Ｐｅを載せて、その四隅が水平及び垂直の合わせ表示２９ｂ，２９ｂ，２９ｃ，２９ｃから均等に露出するように位置調整すれば表示物の中心と表示窓の中心を一致させることができるので、この調整方法を応用して表示物を希望の位置に設置することができる。
なお、表示物が四角形の場合には表示窓形状の合わせ表示２９は必要とならないが、表示物が四角形と限られたものではないので、表示しておいた方が良い。
【００４２】
表示窓形状以外の合わせ表示は、これに限らず図７（ｃ）の変形例３の正面図に示すように、表示窓形状の合わせ表示２９の外側に水平の中心線でなる合わせ表示２９ｄ、２９ｄ及び垂直の中心線でなる合わせ表示２９ｅ、２９ｅを設ける等、適宜に実施することができる。
【実施例３】
【００４３】
これまで説明した各実施例及び各変形例においては、表面部と裏面部との外形が同一となっていたが、裏面部はあくまでも表示物を表面部との間に磁気吸着力によって取り付けることができれば良いので、必要最小限の磁気吸着面積を確保できれば良い。
以下に、その実施例について説明する。
【００４４】
図８（ａ）〜（ｃ）は実施例３を表わしたものであり、図８（ａ）の表示物配置状態の展開斜視図に示すように、表示窓付きマグネットホルダ３１の裏面部３６は、規定サイズの写真が載置でき、かつ、磁気吸着で保持できる程度に規定サイズより若干大きく形成されている。そして、表面部３５には表示物が大きく表示できる表示窓３８が形成され、その周囲の枠部分に希望の装飾等の表示がなされる。
従って、表面部３５の大きさは裏面部３６より大きくなるが、裏面部３６の大きさを表面部３５に合わさなくても本発明を実施することが可能である。
なお、本実施例では、裏面部３６の大きさが規定サイズの写真全体が載置できるようにしてあるが、写真全体を載置する必要がなく、かつ、磁気吸着力を確保できる場合は、さらに小型化することが可能となる。
そして、裏面部３６の内面の所定位置に表示物Ｐａ’を載置した状態で、表面部３５を裏面部３６に磁気吸着させると、図８（ｂ）の表面から見た斜視図及び図８（ｃ）の裏面から見た斜視図のように、表示物Ｐａ’が表示窓付きマグネットホルダ３１内に取り付けられる。
なお、本実施例によれば、裏面部３６を表面部３５より小型化することができるので、
生産コストを低減できる利点がある。
【００４５】
図９（ａ）（ｂ）は、実施例３の変形例を表わしたものであり、表示窓付きマグネットホルダ３１ａの表示部３５ａは略りんご状の外形となっており、表示窓３８ａは四角状に
に切り抜かれて形成される。また、裏面部３６ａは実施例３同様に規定サイズの写真がさ位置できる大きさになっている。このように表示部３５ａが変形物の時は、特に無駄な露出部分が大きく形成されるため、本変形例を実施すれば生産コストの削減を図ることができる。
【００４６】
なお、本変形例においては、表面部３５ａと裏面部３６ａ間に形成される折り込み線が中央部分で分離されて３４ａ，３４ａとして形成され、その分離部分を介して、りんごの茎状の切り込み３９ａが裏面部３６ａに形成されている。
この状態から矢印に示すように、表面部３５ａを裏面部３６ａに磁気吸着させると、上記の切り込み３９ａによって形成されたりんごの茎状の突出部４０ａが表面部３５ａの上端から突出する。
この突出部４０ａには孔４０ｂが形成されており、表示窓付きマグネットホルダ３１ａを取り付ける物品が強磁性体でない場合にも、孔４０ｂを使って表示窓付きマグネットホルダ３１ａを被装着物品に取り付けることができる。具体的には、取り付け用の被装着物品に対して、そこから突出している釘状の突出物に孔４０ｂを差し込んで取り付けたり、孔４０ｂを介して押しピン等にて取り付ける。
【００４７】
このように、本発明の表示窓付きマグネットホルダは強磁性体以外の物品にも取り付けることが可能であり、このような物品を対象とする場合や、特に取り付けて表示する必要のない使用方法の用途に用いられる場合には、表示窓付きマグネットホルダの内面のみの片面着磁とし、外面には磁力が出ない構成で実施することもできる。
【実施例４】
【００４８】
本発明の表示窓の形状は、任意の形状で実施することができる。
例えば、実施例４を示す図１０（ａ）の正面図のように、表示窓付きマグネットホルダ４１の表示窓４８のように菱形に形成しても良いし、図１０（ｂ）の変形例１の正面図に示す星型の表示窓４８ｂや、図１０（ｃ）の変形例２の正面図に示すハート型の表示窓４８ｃに形成しても良い。
【実施例５】
【００４９】
これまでの説明は、表示窓付きマグネットホルダの表示窓が一つの場合を説明してきたが、複数形成することは当然に可能であり、その場合について実施例５にて説明する。
【００５０】
図１１（ａ）は、実施例５の表示窓付きマグネットホルダ５１の表示物取り付け手順を示す展開斜視図を表わしたものであり、表面部５５には四つの四角形の表示窓５８，５８，５８，５８が形成されている。
このような場合には、表示物の位置合わせがさらに難しくなるので、裏面部５６には各々の表示窓５８に対応する合わせ表示をするのが好ましい対応となる。
この実施例においては、一つの四角形の表示窓５８に対して上下左右の輪郭から伸延した状態の合わせ表示５９ａ，５９ａ，５９ｂ，５９ｂが表示され、他の表示窓５８に対応する箇所にも同様な表示がなされている。
【００５１】
そして、表示物Ｐｇ，Ｐｈについては既に位置合わせして配置されており、続いて表示物Ｐｉ，Ｐｊを同様に配置して表面部５５を裏面部５６に磁気吸着させれば、図１１（ｂ）の表示物取り付け後の斜視図のように、表示物Ｐｇ，Ｐｈ，Ｐｉ，Ｐｊは希望の位置に保持されて表示することができる。
【００５２】
なお、このように複数の表示物を表示する場合は、全てを位置合わせする時点や、裏面部５６を表面部５５に磁気吸着させるときに個々の表示物が動きやすい傾向があり、それを防ぐために、想像線で示すような小さな剥離紙６０ａ付きの両面接着材６０ｂを個々の表示窓５８に対応する位置に接着しておくのも得策である。このようにしておけば、各表示物Ｐｇ，Ｐｈ，Ｐｉ，Ｐｊは夫々剥離紙６０ａを取り去った両面接着材６０ｂによって着脱可能に仮止めすることができ、取り付け作業を安心して行うことができる。従って、このようにすれば、取り付け作業性を向上させることができる。
【実施例６】
【００５３】
本発明は、表示窓の外面を透明あるいは半透明のカバーを取り付けて実施することもできる。実施例６はその態様を示したものであり、図１２（ａ）は表示物取り付け前の展開斜視図、図１２（ｂ）は表示物取り付け後の部分拡大断面図、図１２（ｃ）は表示物取り付け後の展開斜視図を示す。
【００５４】
図１２（ｂ）に示すように、表示窓付きマグネットホルダ６１は、マグネットシート６２の上面に装飾層６３を取り付け、さらにその上面に透明あるいは半透明のカバー６９を取り付けて構成される。従って、表面部６５に形成される表示窓６８も透明あるいは半透明のカバー６９によって目視可能に覆われることになる。
【００５５】
表示物Ｐｋの取り付けは、これまで説明してきたものと同様に、例えば図１２（ａ）の展開状態にて、表示物Ｐｋを位置決めした状態で、表面部６５を切り込み線６４に沿って形成されるヒンジ部６７から折り曲げて、裏面部６６に磁気吸着させることにより行われる。そして、図１２（ｃ）に示すように、表示物Ｐｋは、透明あるいは半透明のカバー６９に覆われた状態で表示窓６８から目視可能に表示されることになる。
なお、透明あるいは半透明のカバー６９は、本実施例のように、表面部６５及び裏面部６６の外面を全面的に覆う必要はなく、少なくとも表示窓６８を覆うものであれば良い。
また、表示窓６８の内側から覆う形態で実施しても良い。
この実施例によれば、表示物は外部からの汚れを防ぐことができると共に、その表示の変色や変質を予防することができる。
【００５６】
なお、実施例６は、表示窓付きマグネットホルダに比較的大きな表示物を取り付けており、このような場合に、変形例である図１２（ｄ）に示すように、表示窓付きマグネットホルダ６１ａの表面部６５ａに楕円等の表示窓６８ａを形成して、四隅に比較的大きな枠部を生じさせることができる時には、そこに対応する裏面部６６ａの箇所に孔７０ｂ，７０ｂ，７０ｂ，７０ｂを形成してもよい。この場合には、この孔を使って押しピン７０ａ等にて取り付け用の物品に直接表示窓付きマグネットホルダを取り付けることも可能となる。
【００５７】
本発明は、これまで述べた各実施例や変形例に限らずに各種変形して実施することが可能であり、例えば表示窓付きマグネットホルダにおける構成に一体品を用いることなく、別部材の表面部材と裏面部材とをヒンジ部材で回動可能に結合することにより一体化させるようにしても良い。また、その場合に表面部材と裏面部材とをマグネット以外の材料として、マグネットを接着等で取り付けて実施することもできる。
【産業上の利用可能性】
【００５８】
本発明の表示窓付きマグネットホルダは、例えばプリクラ写真のような小型の表示物から汎用サイズの写真、イラスト、絵画等比較的大型の表示物までを正規の位置に簡単、かつ、確実に取り付けることができるものであり、家庭用から一般営業用まで幅広く活用することができる。
【図面の簡単な説明】
【００５９】
【図１】本発明の実施例１の表示窓付きマグネットホルダを表わしたものであり、（ａ）は展開状態の斜視図、（ｂ）はＡ矢視拡大図、（ｃ）は使用状態説明用の斜視図を示す。
【図２】本発明の実施例１に使用する表示物を表わしたものであり、（ａ）は理想的な表示物の正面図、（ｂ）は理想的な表示物の収納状態を示す説明図、（ｃ）は一般的な表示物の収納状態を示す説明図、（ｄ）は一般的な表示物をラフに切り出した正面図、（ｅ）は一般的な表示物の要部を切り出した正面図、（ｆ）は横長表示物の切り出し状態の正面図を兼ねた収納状態を示す説明図を表わす。
【図３】本発明の実施例１における表示物の取り付け手順を表わし、（ａ）は表示物取り付け前の斜視図、（ｂ）及び（ｃ）は表示物取り付け後の斜視図を示す。
【図４】本発明の実施例１における表示物の別の取り付け手順を表わし、（ａ）は表示物取り付け前の斜視図、（ｂ）は表示物取り付け後の斜視図を示す。
【図５】本発明の実施例１における表示物の強磁性体物品への取り付け状態を表わし、（ａ）は斜視図、（ｂ）は部分拡大断面図を示す。
【図６】本発明の実施例２を表わし、（ａ）は表示物取り付け前の展開斜視図、（ｂ）は表示物配置状態の斜視図、（ｃ）は変形例１も含めた表示物取り付け状態の斜視図、（ｄ）は変形例１の部分斜視図を示す。
【図７】本発明の実施例２の変形例を表わし、（ａ）は変形例２の正面図、（ｂ）は変形例２の表示物配置状態の正面図、（ｃ）は変形例３の正面図を示す。
【図８】本発明の実施例３を表わし、（ａ）は表示物配置状態の展開斜視図、（ｂ）は表示物取り付け状態を表面から見た斜視図、（ｃ）は表示物取り付け状態を裏面から見た斜視図を示す。
【図９】本発明の実施例３の変形例を表わし、（ａ）は展開状態の正面図、（ｂ）は表面部磁気吸着状態の正面図を示す。
【図１０】本発明の実施例４を表わし、（ａ）は正面図、（ｂ）は変形例１の正面図、（ｃ）は変形例２の正面図を示す。
【図１１】本発明の実施例５を表わし、（ａ）は表示物取り付け手順を示す展開斜視図、（ｂ）は表示物取り付け後の斜視図を示す。
【図１２】本発明の実施例６を表わし、（ａ）は表示物取り付け前の展開斜視図、（ｂ）は表示物取り付け後の部分拡大断面図、（ｃ）は表示物取り付け後の斜視図、（ｄ）は変形例の展開斜視図を示す。
【符号の説明】
【００６０】
Ｎ、Ｓ  磁極
Ｐａ、Ｐａ’、Ｐｃ、Ｐｄ、Ｐｅ、Ｐｆ、Ｐｋ  表示物
Ｇ  女性
Ｗ  強磁性体物品
１、１ａ、２１、２１ａ、３１、３１ａ、４１、５１、６１、６１ａ  表示窓付きマグネットホルダ
２、２ａ、６２  マグネットシート
２’  上面
２’’  下面
３、３ａ、６３  装飾層
４、４ａ、２４、３４ａ、６４  折り込み線
５、５ａ、２５、３５、３５ａ、５５、６５、６５ａ  表面部
６、６ａ、２６、３６、３６ａ、５６、６６、６６ａ  裏面部
７、７ａ、６７  ヒンジ部
８、８ａ、２８、３８、３８ａ、４８、４８ｂ、４８ｃ、５８、６８、６８ａ  表示窓
２９、２９ａ、２９ｂ、２９ｃ、２９ｄ、２９ｅ、５９ａ、５９ｂ  合わせ表示
３９ａ  切り込み
４０ａ  突出部
４０ｂ、７０ｂ  孔
６９  カバー
７０ａ  押しピン
【図１】
0004697766.tif 000002
【図２】
0004697766.tif 000003
【図３】
0004697766.tif 000004
【図４】
0004697766.tif 000005
【図５】
0004697766.tif 000006
【図６】
0004697766.tif 000007
【図７】
0004697766.tif 000008
【図８】
0004697766.tif 000009
【図９】
0004697766.tif 000010
【図１０】
0004697766.tif 000011
【図１１】
0004697766.tif 000012
【図１２】
0004697766.tif 000013